(57)【特許請求の範囲】
【請求項１】
広告映像を含むコンテンツを記録する手段と、
前記コンテンツに含まれる本編を構成する複数のパートそれぞれにおいて、当該パートの一部であって前記広告映像に隣接する一定区間の盛り上がりを示す盛り上がり度を取得する手段と、
複数の挿入用の広告映像の各盛り上がり度を取得する手段と、
前記パートの一部であって前記広告映像に隣接する一定区間の盛り上がり度と、前記複数の挿入用の広告映像の各盛り上がり度と、に基づいて、前記複数の挿入用の広告映像のうち１又は複数を選択する手段と、
選択される前記１又は複数の挿入用の広告映像を、前記広告映像に差し替えて挿入する手段と、
を含み、
前記パートの前及び後の両方に前記広告映像が隣接する場合に、前記選択する手段は、当該パートの前に隣接する前記広告映像に差し替える挿入用の広告映像として、当該パートの一部であって開始から一定区間の盛り上がり度に近い盛り上がり度を有する前記挿入用の広告映像を選択し、当該パートの後に隣接する前記広告映像に差し替える挿入用の広告映像として、当該パートの一部であって終了までの一定区間の盛り上がり度に近い盛り上がり度を有する前記挿入用の広告映像を選択する、
ことを特徴とする放送番組処理装置。
【請求項２】
請求項１に記載の放送番組処理装置において、
記録される前記コンテンツに含まれる広告映像の属性を取得する手段と、をさらに含み、
前記選択する手段は、記録される前記コンテンツに含まれる広告映像の属性と、前記複数の挿入用の広告映像の各属性と、に更に基づいて、前記複数の挿入用の広告映像のうち１又は複数を選択する、
ことを特徴とする放送番組処理装置。
【請求項３】
請求項２に記載の放送番組処理装置において、
前記広告映像の属性は、広告対象である商品又はサービスを特定する情報を含む、
ことを特徴とする放送番組処理装置。
【請求項４】
請求項２又は３に記載の放送番組処理装置において、
前記広告映像の属性は、広告対象である商品又はサービスの分類を特定する情報を含む、
ことを特徴とする放送番組処理装置。
【請求項５】
請求項２乃至４のいずれかに記載の放送番組処理装置において、
前記広告映像の属性は、広告主を特定する情報を含む、
ことを特徴とする放送番組処理装置。
【請求項６】
請求項１乃至５のいずれかに記載の放送番組処理装置において、
前記選択する手段は、記録される前記コンテンツに対する解析処理の結果に更に基づいて、前記複数の挿入用の広告映像のうち１又は複数を選択する、
ことを特徴とする放送番組処理装置。
【請求項７】
請求項１乃至６のいずれかに記載の放送番組処理装置において、
前記選択する手段は、ユーザの属性に更に基づいて、前記複数の挿入用の広告映像のうち１又は複数を選択する、
ことを特徴とする放送番組処理装置。
【請求項８】
請求項１乃至７のいずれかに記載の放送番組処理装置において、
前記選択する手段は、記録される前記コンテンツの再生タイミングに更に基づいて、前記複数の挿入用の広告映像のうち１又は複数を選択する、
ことを特徴とする放送番組処理装置。
【請求項９】
請求項１乃至８のいずれかに記載の放送番組処理装置において、
前記挿入する手段は、選択される挿入用の広告映像を伸長又は短縮する手段を含む、
ことを特徴とする放送番組処理装置。
【請求項１０】
広告映像を含む記録されるコンテンツに含まれる本編を構成する複数のパートそれぞれにおいて、当該パートの一部であって前記広告映像に隣接する一定区間の盛り上がりを示す盛り上がり度を取得するステップと、
複数の挿入用の広告映像の各盛り上がり度を取得するステップと、
前記パートの一部であって前記広告映像に隣接する一定区間の盛り上がり度と、前記複数の挿入用の広告映像の各盛り上がり度と、に基づいて、前記複数の挿入用の広告映像のうち１又は複数を選択するステップと、
選択される前記１又は複数の挿入用の広告映像を、前記広告映像に差し替えて挿入するステップと、
を含み、
前記パートの前及び後の両方に前記広告映像が隣接する場合に、前記選択するステップでは、当該パートの前に隣接する前記広告映像に差し替える挿入用の広告映像として、当該パートの一部であって開始から一定区間の盛り上がり度に近い盛り上がり度を有する前記挿入用の広告映像を選択し、当該パートの後に隣接する前記広告映像に差し替える挿入用の広告映像として、当該パートの一部であって終了までの一定区間の盛り上がり度に近い盛り上がり度を有する前記挿入用の広告映像を選択する、
ことを特徴とする放送番組処理方法。
【請求項１１】
広告映像を含む記録されるコンテンツに含まれる本編を構成する複数のパートそれぞれにおいて、当該パートの一部であって前記広告映像に隣接する一定区間の盛り上がりを示す盛り上がり度を取得するステップと、
複数の挿入用の広告映像の各盛り上がり度を取得するステップと、
前記パートの一部であって前記広告映像に隣接する一定区間の盛り上がり度と、前記複数の挿入用の広告映像の各盛り上がり度と、に基づいて、前記複数の挿入用の広告映像のうち１又は複数を選択するステップと、
選択される前記１又は複数の挿入用の広告映像を、前記広告映像に差し替えて挿入するステップと、
をコンピュータに実行させるためのプログラムであって、
前記パートの前及び後の両方に前記広告映像が隣接する場合に、前記選択するステップでは、当該パートの前に隣接する前記広告映像に差し替える挿入用の広告映像として、当該パートの一部であって開始から一定区間の盛り上がり度に近い盛り上がり度を有する前記挿入用の広告映像を選択し、当該パートの後に隣接する前記広告映像に差し替える挿入用の広告映像として、当該パートの一部であって終了までの一定区間の盛り上がり度に近い盛り上がり度を有する前記挿入用の広告映像を選択する、
ことを特徴とするプログラム。
【発明の詳細な説明】
【技術分野】
【０００１】
本発明は放送番組処理装置、放送番組処理方法及びプログラムに関し、特に、広告映像を含むコンテンツに対する広告映像の付加に関する。
【背景技術】
【０００２】
多くの場合、放送番組にはテレビＣＭ（広告映像）が挿入されており、これらテレビＣＭによる広告収入により放送番組の制作費が賄われる。しかし、近年、放送番組を手軽且つ大量に録画することができる記録再生装置が普及しており、広告主が期待するタイミングにて放送番組が視聴されないことが多くなっている。この場合、広告主が元々期待していたテレビＣＭの効果が得られない虞がある。この点、下記特許公報には、録画した番組中のテレビＣＭを、視聴者の興味に適合するテレビＣＭに入れ替えることができるビデオ録画再生装置が開示されている。
【先行技術文献】
【特許文献】
【０００３】
【特許文献１】特許第４４１９３２４号
【発明の概要】
【発明が解決しようとする課題】
【０００４】
一般に、放送番組の内容とそこに挿入されるテレビＣＭに係る商品やサービスとは、互いに関係があることが多い。例えば、アニメ番組であれば玩具のテレビＣＭが挿入されることが多く、料理番組であれば食料品のテレビＣＭが挿入されることが多い。そして、このような関係性により、商品やサービスに対する購入意欲を視聴者に効果的に沸き立たせることができるものと考えられる。
【０００５】
しかしながら、上記特許公報に記載された装置によれば、放送番組に元々挿入されていたテレビＣＭとは無関係に、新たに視聴者の興味に適合するテレビＣＭが挿入されるため、放送番組に元々挿入されていたテレビＣＭに係る商品やサービスとは関係の無い商品やサービスに係るテレビＣＭが新たに挿入される可能性がある。この場合、視聴者の購入意欲を効果的に沸き立たせることができない虞がある。
【０００６】
本発明は上記課題に鑑みてなされたものであって、その目的は、挿入されたＣＭにより視聴者に購入意欲を効果的に沸き起こさせることができる放送番組処理装置、放送番組処理方法及びプログラムを提供することにある。
【課題を解決するための手段】
【０００７】
上記課題を解決するために、本発明に係る放送番組処理装置は、広告映像を含むコンテンツを記録する手段と、記録される前記コンテンツに含まれる広告映像の属性を取得する手段と、複数の挿入用の広告映像の各属性を取得する手段と、記録される前記コンテンツに含まれる広告映像の属性と、前記複数の挿入用の広告映像の各属性と、に基づいて、前記複数の挿入用の広告映像のうち１又は複数を選択する手段と、選択される前記１又は複数の挿入用の広告映像を、記録される前記コンテンツに挿入する手段と、を含むことを特徴とする。
【０００８】
ここで、前記広告映像の属性は、広告対象である商品又はサービスを特定する情報を含んでもよい。また、前記広告映像の属性は、広告対象である商品又はサービスの分類を特定する情報を含んでもよい。また、前記広告映像の属性は、広告主を特定する情報を含んでもよい。
【０００９】
また、前記選択する手段は、記録される前記コンテンツに関連づけられた情報に更に基づいて、前記複数の挿入用の広告映像のうち１又は複数を選択してもよい。また、前記選択する手段は、記録される前記コンテンツに対する解析処理の結果に更に基づいて、前記複数の挿入用の広告映像のうち１又は複数を選択してもよい。
【００１０】
また、前記選択する手段は、ユーザの属性に更に基づいて、前記複数の挿入用の広告映像のうち１又は複数を選択してもよい。また、前記選択する手段は、記録される前記コンテンツの再生タイミングに更に基づいて、前記複数の挿入用の広告映像のうち１又は複数を選択してもよい。
【００１１】
また、前記挿入する手段は、選択される挿入用の広告映像を伸長又は短縮する手段を含んでもよい。
【００１２】
さらに、本発明に係る放送番組処理方法は、記録されるコンテンツに含まれる広告映像の属性を取得するステップと、複数の挿入用の広告映像の各属性を取得するステップと、記録される前記コンテンツに含まれる広告映像の属性と、前記複数の挿入用の広告映像の各属性と、に基づいて、前記複数の挿入用の広告映像のうち１又は複数を選択するステップと、選択される前記１又は複数の挿入用の広告映像を、記録される前記コンテンツに挿入するステップと、を含むことを特徴とする。
【００１３】
また、本発明に係るプログラムは、記録されるコンテンツに含まれる広告映像の属性を取得するステップと、複数の挿入用の広告映像の各属性を取得するステップと、記録される前記コンテンツに含まれる広告映像の属性と、前記複数の挿入用の広告映像の各属性と、に基づいて、前記複数の挿入用の広告映像のうち１又は複数を選択するステップと、選択される前記１又は複数の挿入用の広告映像を、記録される前記コンテンツに挿入するステップと、をコンピュータに実行させるためのプログラムである。
【図面の簡単な説明】
【００１４】
【図１】本発明の実施形態に係る放送番組処理装置のハードウェア構成を示す図である。
【図２】本発明の実施形態に係る放送番組処理装置の機能ブロック図である。
【図３】録画データの一部を模式的に示す図である。
【図４】録画データの解析結果を示す図である。
【図５】差し替えＣＭのメタデータを示す図である。
【図６】本発明の実施形態に係る放送番組処理装置の再生動作を示すフロー図である。
【発明を実施するための形態】
【００１５】
以下、本発明の一実施形態について図面に基づき詳細に説明する。
【００１６】
図１は、本発明の一実施形態に係る放送番組処理装置のハードウェア構成図である。同図に示すように、この放送番組処理装置１０は、装置全体を制御するＣＰＵ（中央処理装置）１２を中心として構成されたコンピュータシステムであり、ＣＰＵ１２、表示部１４、テレビチューナ１６，表示制御部１８、通信インタフェース２０、メモリ２２、大容量記憶装置２４、メディアドライブ２６及び操作部２８がバスにより相互にデータを授受できるよう構成されている。
【００１７】
表示部１４は、液晶表示パネルなどの表示デバイスを含んでおり、筐体前面に配置される。表示部１４は、ＣＰＵ１２からの命令に従って、録音中か再生中かの区別、受信中のチャネルなど、放送番組処理装置１０の現在の状態を表示する。テレビチューナ１６には、地上波や衛星波などにより送信される放送信号、或いはケーブルテレビネットワークなどの有線通信網を介して送信される放送信号が入力されている。テレビチューナ１６は、この放送信号を復号し、ＣＭ付き放送番組を内容とする映像データ（音声付き動画像を示すデータ）を生成する。表示制御部１８は、ＣＰＵ１２からの命令に従って、テレビチューナ１６から出力される映像データ、或いはメディアドライブ２６に受け入れられているメディアや大容量記憶装置２４に記憶される映像データを、家庭用テレビ受像器３０に出力する。これにより家庭用テレビ受像器３０は、映像データにより示される動画像を画面に表示し、また同映像データにより示される音声を内蔵又は外付けのスピーカから出力する。
【００１８】
通信インタフェース２０は、インターネットなどの広域データ通信ネットワーク４０（図２参照）に接続されており、ＣＰＵ１２からの命令に従って、この広域データ通信ネットワーク４０に接続された他の装置との間でデータ通信を行うものである。メモリ２２は、揮発性及び不揮発性の半導体メモリを含んでおり、ＣＰＵ１２の作業用に用いられたり、或いはＣＰＵ１２により実行されるプログラムを記憶したりする。大容量記憶装置２４は、例えばフラッシュメモリなどの半導体メモリやハードディスクドライブにより構成されており、ＣＰＵ１２からの命令に従って、テレビチューナ１６により生成される映像データを記憶する。また、後述するように、こうして記憶される映像データの解析結果も同大容量記憶装置２４に記憶される。
【００１９】
メディアドライブ２６は、ＤＶＤ（商標）やブルーレイ（商標）などの可搬データ記憶メディアを受け入れ、そこに映像データを書き込んだり、そこから映像データを読み出したりする。可搬データメディアに書き込まれる映像データは、テレビチューナ１６により生成される映像データであってよい。こうして可搬データメディアに格納される映像データの解析結果も、大容量記憶装置２４に記憶される。操作部２８は、押しボタンやスライドスイッチを含んでおり、筐体前面に配置される。ユーザは、放送番組記録装置１０に対して、操作部２８に含まれる押しボタンやスライドスイッチを用いて動作命令を行う。
【００２０】
上述したように放送番組処理装置１０は、ＣＰＵ１２を中心としたコンピュータシステムであり、メモリ２２に格納されているプログラムを実行することにより、各種機能が実現される。図２は、放送番組処理装置１０の機能ブロック図である。同図に示すように、放送番組処理装置１０は、機能的には録画部１２ａ、録画データ記憶部２４ａ、再生部１２ｂ、ＣＭ差し替え部１２ｃ、ユーザ属性記憶部２４ｂ及び録画データ解析部１２ｄを含んでいる。また、上述のように、放送番組録画記録装置１０は、通信インタフェース２０を備えており、広域データ通信ネットワーク４０を介して、放送番組メタデータサーバ４２、差し替えＣＭデータサーバ４４、差し替えＣＭメタデータサーバ４６にアクセスすることができる。
【００２１】
録画部１２ａは、ＣＰＵ１２を中心に構成されており、テレビチューナ１６がＣＭ付き放送番組を内容とする映像データを生成すると、この映像データを録画データ記憶部２４ａに格納する。録画データ記憶部２４ａは、大容量記憶装置２４により構成されるが、メディアドライブ２６に受け入れられた可搬データメディアにより構成されてもよい。
【００２２】
録画データ解析部１２ｄは、ＣＰＵ１２を中心に構成されており、録画データ記憶部２４ａに記憶されている映像データを解析し、この解析結果を録画データ記憶部２４ａに格納する。具体的には、図３に示すように、放送番組の本編は、複数のパート５０Ａ，５０Ｂに分割されており、各パート５０Ａ，５０Ｂの間には１以上のＣＭ（ここではＣＭ５１，５２）が挿入されている。録画データ解析部１２ｄは、これらパート又はＣＭ毎に、メタデータ（属性データ）を生成し、これを録画データ記憶部２４ａに格納する。図４は、録画データ記憶部２４ａに格納されるメタデータを示している。同図に示すように、パート又はＣＭに対応する区間毎に、その開始時刻及び終了時刻、本編又はＣＭの区別が録画データ記憶部２４ａに格納される。すなわち、録画データ解析部１２ｄは、映像データのうち、本編の各パートの区間、及び各ＣＭの区間を認識する。例えば映像データに、各パートの開始時刻及び終了時刻、及び各ＣＭの開始時刻及び終了時刻、及び各区間の内容種別を特定するデータが含まれていれば、それらのデータに基づいて、各区間の開始時刻及び終了時刻、本編又はＣＭの区別を録画データ記憶部２４ａに格納する。或いは、各パートの開始時刻及び終了時刻、及び各ＣＭの開始時刻及び終了時刻、及び各区間の内容種別を特定するデータが、放送番組メタデータサーバ４２に事前に格納されていれば、それらのデータを放送番組メタデータサーバ４２から受信し、受信したデータに基づいて、各区間の開始時刻及び終了時刻、本編又はＣＭの区別を録画データ記憶部２４ａに格納する。
【００２３】
また、録画データ解析部１２ｄは、本編が記録された各区間については、１又は２の盛り上がり度を取得し、これらを各区間に対応づけて録画データ記憶部２４ａに格納する。盛り上がり度は、図３に示すように、ＣＭの区間に隣接する一定区間（例えば１分）である評価区間が如何に盛り上がった内容であるかを示す値である。本編が記録された区間の前又は後のどちらかにＣＭの区間が隣接していれば、盛り上がり度は１つ取得される。また、前及び後の両方にＣＭの区間が隣接していれば、盛り上がり度は２つ取得される。例えば、録画データ解析部１２ｄは、評価区間の平均音量を録画データから取得し、この平均音量が大きければ大きいほど盛り上がり度を大きな値として生成してよい。或いは、映像データに、各パートの盛り上がり度を示すデータが含まれていれば、それらのデータに基づいて盛り上がり度を取得してよい。また、放送番組メタデータサーバ４２に、本編が記録された各区間について１又は２の盛り上がり度が事前に記憶されていれば、そのデータを放送番組メタデータサーバ４２から受信してよい。
【００２４】
さらに、録画データ解析部１２ｄは、ＣＭが記録された各区間については、商品・サービスＩＤ、商品・サービス分類、広告主及び長さ（時間）を取得し、各区間に関連づけてそれらデータを録画データ記憶部２４ａに格納する。商品・サービスＩＤは、ＣＭにより宣伝される商品又はサービスを特定する情報である。商品・サービス分類は、「デジカメ」、「調理器具」、「保険」、「クルマ」など、ＣＭにより宣伝される商品又はサービスの分類を示す情報である。これらのデータは、映像データに多重化して含ませておいてもよい。或いは、録画データ解析部１２ｄは、放送番組メタデータサーバ４２に、これらのデータが事前に記憶されていれば、それらのデータを放送番組メタデータサーバ４２から受信してよい。
【００２５】
ユーザ属性記憶部２４ｂは、大容量記憶装置２４により構成されており、放送番組処理装置１０のユーザの属性、例えば性別、年齢、住所、ユーザグループなどを記憶する。ここで、ユーザグループは、ユーザの嗜好傾向を特定する情報である。これらの情報は、操作部２８を用いてユーザが自ら入力してもよいし、広域データ通信ネットワーク４０に接続された他の装置から受信してもよい。また、ユーザグループは、視聴又は録画した放送番組の履歴に従ってプログラムにより自動生成してもよい。
【００２６】
ＣＭ差し替え部１２ｃは、ＣＰＵ１２を中心に構成されるもので、再生部１２ｂから指示があった場合に、当該映像データに関連づけられたメタデータ（図４）に基づいて、差し替えるＣＭを選択し、選択したＣＭの映像データを再生部１２ｂに返すものである。具体的には、ＣＭ差し替え部１２ｃは、差し替えＣＭメタデータサーバ４６に例えば予め定められたスケジュールに従ってアクセスし、該差し替えＣＭメタデータサーバ４６に記憶されている差し替えＣＭのメタデータを受信する。そして、受信した差し替えＣＭのメタデータと、再生すべき映像データに関連づけられたメタデータと、ユーザ属性記憶部２４ｂに格納されているユーザ属性と、にしたがって、差し替えるＣＭを選択する。
【００２７】
ここで、差し替えＣＭメタデータサーバ４６には、図５に示されるように、多数の差し替えＣＭのそれぞれについて、ＩＤ、商品・サービスＩＤ、商品・サービス分類、広告主、日時、地域、ユーザグループ、長さ及び盛り上がり度を記憶している。ここで、日時は、当該差し替えＣＭの映像データを再生すべき日時条件を示している。この日時条件は、朝、昼、夜などの予め定められた時間帯を区別する情報であってもよいし、開始時刻及び終了時刻からなる時間帯の情報であってもよい。また、春、秋、夏、秋などの予め定められた期間を区別する情報であってもよいし、開始日時及び終了日時からなる期間の情報であってもよい。また、曜日を特定する情報であってもよい。地域は、当該差し替えＣＭの映像データを再生すべき地域を示している。また、盛り上がり度は、当該差し替えＣＭが如何に盛り上がった内容であるかを示す値である。この値は人手により設定されてもよいし、映像データの各パートの盛り上がり度と同様、差し替えＣＭの平均音量に基づいて算出してもよい。
【００２８】
ＣＭ差し替え部１２ｃは、選択したＣＭの映像データを差し替えＣＭデータサーバ４４から受信する。すなわち、差し替えＣＭデータサーバ４４は多数の差し替えＣＭの映像データを、各ＣＭのＩＤに関連づけて記憶しており、ＣＭ差し替え部１２ｃが選択されたＣＭのＩＤを差し替えＣＭデータサーバ４４に送信すると、ＩＤにより特定されるＣＭの映像データが返信されるようになっている。
【００２９】
ＣＭ差し替え部１２ｃは、必要に応じて映像時間を伸長又は短縮させる処理を施してから、各差し替えＣＭの映像データを再生部１２ｂに渡す。すなわち、録画データ記憶部２４ａに記憶される各ＣＭ区間の長さと、差し替えＣＭデータサーバ４４から受信した映像データの長さと、が不一致であれば、両者が一致するよう、差し替えＣＭデータサーバ４４から受信した映像データを伸長又は短縮させる。例えば、差し替えＣＭデータサーバ４４から受信した映像データの方が短い場合には、予め用意した静止画像又は動画像を先頭又は最後に不足分だけ表示することにより、再生時間を一致させてもよい。逆に、差し替えＣＭデータサーバ４４から受信した映像データの方が長い場合には、当該映像データの先頭部分又は終了部分を削除することにより、再生時間を一致させてもよい。或いは、公知の映像データを伸長又は短縮させる技術を利用して、均等に映像データの再生時間を伸ばしたり短くしたりしてよい。
【００３０】
再生部１２ｂは、操作部２８を用いてユーザが任意の映像データの再生指示を与えた場合に、録画データ記憶部２４ａに記憶された当該映像データを読み出し、これをビデオ信号に変換して家庭用テレビ受像器３０に出力する。このとき、ＣＭ差し替え部１２ｃに対して、差し替えＣＭの選択を指示し、選択されたＣＭの映像データをＣＭ差し替え部１２ｃから取得する。そして、録画データ記憶部２４ａに記憶されている映像データに含まれるＣＭの再生タイミングが到来した場合に、代わりに差し替えＣＭデータサーバ４４から受信した映像データを再生する。そして、差し替えＣＭの映像データの再生が終了すると、再び録画データ記憶部２４ａに記憶された映像データを、元々挿入されていたＣＭの続きの箇所から、つまり後続のパートの先頭から再生する。
【００３１】
図６は、映像データを再生する際の放送番組処理装置１０の動作を示すフロー図である。同図に示す動作は、ユーザが操作部２８を用いて映像データの再生指示を与えた場合に、主として再生部１２ｂ及びＣＭ差し替え部１２ｃにより行われるものである。なお、同図に示す動作は、映像データの再生処理のバックグラウンド処理として再生開始後に行ってもよい。
【００３２】
まず、ＣＭ差し替え部１２ｃは、再生部１２ｂからの指示に応じて、録画データ記憶部２４ａにアクセスして、再生指示がなされた映像データの各区間のメタデータ（図４）を読み出す（Ｓ１０１）。次に、映像データの１つのＣＭ区間について、その区間に関連づけられた商品・サービス分類と、差し替えＣＭメタデータサーバ４６から受信した各差し替えＣＭの商品・サービス分類と、を比較し、同じ分類の差し替えＣＭを選択する（Ｓ１０２）。さらに、Ｓ１０２で選択された差し替えＣＭのうち、ユーザグループにより絞り込む。具体的には、ユーザ属性記憶部２４ｂに記憶されているユーザグループと同じユーザグループが関連づけられた差し替えＣＭを選択する（Ｓ１０３）。
【００３３】
さらに、Ｓ１０３で絞り込まれた差し替えＣＭのうち１つを、盛り上がり度及び地域に基づいて選択し、選択された差し替えＣＭの映像データを差し替えＣＭデータサーバ４４から受信する。具体的には、まず、各差し替えＣＭの盛り上がり度と、差し替えの対象となるＣＭと最も近い時刻に再生されるパートの盛り上がり度と、の差の絶対値を、評価値１として算出する。さらに、各差し替えＣＭの地域の緯度及び経度と、ユーザ属性記憶部２４ｂに記憶されるユーザの住所に対応する緯度及び経度と、から両者の距離を、評価値２として算出する。そして、評価値１及び評価値２の両方の増加関数である総合評価値を、各差し替えＣＭについて算出し、総合評価値が最も小さい差し替えＣＭを選択する。なお、増加関数は、例えば評価値１及び評価値２の線形和であってもよい。こうして、近接するパートの盛り上がりと近い盛り上がりを有し、且つユーザの住所に合致した差し替えＣＭが選ばれるようになる。
【００３４】
その後、選択された差し替えＣＭの長さをメタデータ（図５）から取得し、差し替えの対象となるＣＭの長さ（図４）を録画データ記憶部２４ａから取得し、両者を比較する。そして、前者が長ければ差し替えＣＭの映像データに対して短縮処理を施し、逆に前者が短ければ伸長処理を施す（Ｓ１０５）。以上のＳ１０２〜Ｓ１０５の処理を、再生指示された映像データに含まれるすべてのＣＭに関して実行し（Ｓ１０６，Ｓ１０７）、その後、再生部１２ｂは、録画データ記憶部２４ａに記憶された映像データに含まれる本編の各パート、及びＳ１０２〜Ｓ１０５の処理により得られた各差し替えＣＭを、順に再生する。
【００３５】
以上説明した放送番組処理装置１０によれば、放送番組に元々挿入されていたテレビＣＭとの関係性を考慮しつつ、視聴者の興味に適合するテレビＣＭを挿入できるようになるため、視聴者の購入意欲を効果的に沸き立たせることができる。
【００３６】
なお、本発明は上記実施形態に限定されるものではなく、本発明の精神の範囲内において種々の変形が可能である。例えば、以上の説明では、商品・サービス分類が元々のＣＭと一致するようにして差し替えＣＭを選択したが、商品・サービスＩＤが一致するようにして差し替えＣＭを選択してもよい。例えば、同じ商品又はサービスの対するＣＭであるが、季節に応じた異なるＣＭが差し替えＣＭとして用意されている場合には、同じ商品又はサービスに対するＣＭであって季節に応じた別バージョンに差し替えることができるようになる。また、広告主が一致するようにして差し替えＣＭを選択してもよい。こうすれば、広告主の広告機会を保障できるようになる。さらに、ＣＭ差し替え部１２ｃは、再生指示があった場合に内蔵カレンダーを参照して現在の日付及び時刻を取得し、この現在の日付及び時刻が、メタデータに含まれる日時条件を満足する差し替えＣＭを選択するようにしてもよい。こうすれば、季節、時間帯、曜日などの日時条件にあったＣＭに差し替えることができる。
【００３７】
また、図２に示される放送番組処理装置１０の機能の一部、例えばＣＭ差し替え部１２ｃ、録画データ解析部１２ｄ、ユーザ属性記憶部２４ｂなど、或いはそれら機能の一部は、放送番組処理装置１０が設置されている家庭内に設けられるホームネットワークに接続された外部機器（ホームサーバなど）や、広域データ通信ネットワーク４０に接続されたサーバに設けられてもよい。
【符号の説明】
【００３８】
１０  放送番組処理装置、１２  ＣＰＵ、１２ａ  録画部、１２ｂ  再生部、１２ｃ  ＣＭ差し替え部、１２ｄ  録画データ解析部、１４  表示部、１６  テレビチューナ、１８  表示制御部、２０  通信インタフェース、２２  メモリ、２４  大容量記憶装置、２６  メディアドライブ、２８  操作部、３０  家庭用テレビ受像器、４０  広域データ通信ネットワーク、４２  放送済ＣＭメタデータサーバ、４４  差し替えＣＭデータサーバ、４６  差し替えＣＭメタデータサーバ、５０Ａ，５０Ｂ  パート、５１，５２  ＣＭ。
【図１】
0005745876.tif 000002
【図２】
0005745876.tif 000003
【図３】
0005745876.tif 000004
【図４】
0005745876.tif 000005
【図５】
0005745876.tif 000006
【図６】
0005745876.tif 000007